【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
原色ベイヤー配列の色フィルタを備えた撮像素子から読み出した画像信号から、画素毎の輝度信号を生成する輝度信号生成装置であって、
前記画像信号の空間周波数の帯域を制限する第１のローパスフィルタと、
前記画像信号の空間周波数の帯域を第１のローパスフィルタよりも低い帯域に制限する第２のローパスフィルタと、
前記第１のローパスフィルタの出力する画像信号から第１の輝度信号を生成する第１の輝度信号生成手段と、
前記第２のローパスフィルタの出力する画像信号から第２の輝度信号を生成する第２の輝度信号生成手段と、
前記画像信号から、着目画素の赤さ又は青さの尺度を示す指標を算出する算出手段と、
前記指標に基づき、着目画素の赤さ又は青さが強いほど、前記第２の輝度信号の割合が高くなるように前記第１の輝度信号と第２の輝度信号を加重加算して、前記着目画素に対する輝度信号を生成する第１の加重加算手段とを有することを特徴とする輝度信号生成装置。
【請求項２】
前記第１のローパスフィルタの出力する画像信号から第１の高周波信号を生成する第１の高周波信号生成手段と、
前記第２のローパスフィルタの出力する画像信号から第２の高周波信号を生成する第２の高周波信号生成手段と、
前記指標に基づき、前記着目画素の赤さ又は青さが強いほど、前記第２の高周波信号の割合が高くなるように前記第１の高周波信号と第２の高周波信号を加重加算して、高周波信号を生成する第２の加重加算手段と、
前記第１の加重加算手段にて生成された輝度信号及び前記第２の加重加算手段にて生成された高周波信号を加算して、前記着目画素に対するエッジ強調された輝度信号を生成する加算手段をさらに有することを特徴とする請求項１記載の輝度信号生成装置。
【請求項３】
前記第１のローパスフィルタが前記画像信号の空間周波数を前記撮像素子のナイキスト周波数以下に制限し、前記第２のローパスフィルタが前記画像信号の空間周波数を前記ナイキスト周波数の半分の周波数以下に制限することを特徴とする請求項１又は請求項２記載の輝度信号生成装置。
【請求項４】
原色ベイヤー配列の色フィルタを備えた撮像素子から読み出した画像信号から、エッジ強調された輝度信号を画素毎に生成する輝度信号生成装置であって、
前記画像信号から輝度信号を生成する輝度信号生成手段と、
前記撮像素子の全色の画素の画像信号を用いて第１の高周波信号を生成する第１の高周波信号生成手段と、
前記撮像素子のうち、赤色又は青色のいずれか一方の画素の画像信号を用いて第２の高周波信号を生成する第２の高周波信号生成手段と、
前記画像信号から、着目画素が前記赤色又は青色のいずれか一方に近い色かどうかの尺度を示す指標を算出する算出手段と、
前記指標に基づき、前記着目画素が前記赤色又は青色のいずれか一方に近い色であるほど、前記第２の高周波信号の割合が高くなるように前記第１の高周波信号と第２の高周波信号を加重加算して前記着目画素に対する高周波信号を生成する第１の加重加算手段と、
前記輝度信号生成手段が前記着目画素に対して生成した輝度信号に、前記着目画素に対する高周波信号を加算して、前記着目画素に対するエッジ強調された輝度信号を生成する加算手段を有することを特徴とする輝度信号生成装置。
【請求項５】
さらに、前記撮像素子の緑色画素の画像信号から第３の高周波信号を生成する第３の高周波信号生成手段と、
前記着目画素が傾いた線に対応する度合いを検出する傾き検出手段と、
前記着目画素が傾いた線に対応する度合いが高いほど、前記第３の高周波信号の割合が高くなるように前記第１の高周波信号と前記第３の高周波信号とを加重加算して第４の高周波信号を生成する第２の加重加算手段とをさらに有し、
前記第１の加重加算手段が、前記第１の高周波信号に代えて前記第４の高周波信号と前記第２の高周波信号とを加重加算して前記着目画素に対する高周波信号を生成することを特徴とする請求項４記載の輝度信号生成装置。
【請求項６】
原色ベイヤー配列の色フィルタを備えた撮像素子と、
請求項１乃至請求項５のいずれか１項に記載の輝度信号生成装置とを有することを特徴とする撮像装置。
【請求項７】
原色ベイヤー配列の色フィルタを備えた撮像素子から読み出した画像信号から、画素毎の輝度信号を生成する輝度信号生成方法であって、
第１の輝度信号生成手段が、前記画像信号の空間周波数の帯域を制限する第１のローパスフィルタの出力する画像信号から第１の輝度信号を生成する第１の輝度信号生成工程と、
第２の輝度信号生成手段が、前記画像信号の空間周波数の帯域を第１のローパスフィルタよりも低い帯域に制限する第２のローパスフィルタの出力する画像信号から第２の輝度信号を生成する第２の輝度信号生成工程と、
算出手段が、前記画像信号から、着目画素の赤さ又は青さの尺度を示す指標を算出する算出工程と、
第１の加重加算手段が、前記指標に基づき、着目画素の赤さ又は青さが強いほど、前記第２の輝度信号の割合が高くなるように前記第１の輝度信号と第２の輝度信号を加重加算して、前記着目画素に対する輝度信号を生成する第１の加重加算工程とを有することを特徴とする輝度信号生成方法。
【請求項８】
原色ベイヤー配列の色フィルタを備えた撮像素子から読み出した画像信号から、エッジ強調された輝度信号を画素毎に生成する輝度信号生成方法であって、
輝度信号生成手段が、前記画像信号から輝度信号を生成する輝度信号生成工程と、
第１の高周波信号生成手段が、前記撮像素子の全色の画素の画像信号を用いて第１の高周波信号を生成する第１の高周波信号生成工程と、
第２の高周波信号生成手段が、前記撮像素子のうち、赤色又は青色のいずれか一方の画素の画像信号を用いて第２の高周波信号を生成する第２の高周波信号生成工程と、
算出手段が、前記画像信号から、着目画素が前記赤色又は青色のいずれか一方に近い色かどうかの尺度を示す指標を算出する算出工程と、
第１の加重加算手段が、前記指標に基づき、前記着目画素が前記赤色又は青色のいずれか一方に近い色であるほど、前記第２の高周波信号の割合が高くなるように前記第１の高周波信号と第２の高周波信号を加重加算して前記着目画素に対する高周波信号を生成する第１の加重加算工程と、
加算手段が、前記輝度信号生成工程が前記着目画素に対して生成した輝度信号に、前記着目画素に対する高周波信号を加算して、前記着目画素に対するエッジ強調された輝度信号を生成する加算工程を有することを特徴とする輝度信号生成方法。
【請求項９】
コンピュータに、請求項７又は請求項８記載の輝度信号生成方法の各工程を実行させるためのプログラム。
【手続補正２】
【補正対象書類名】明細書
【補正対象項目名】００２４
【補正方法】変更
【補正の内容】
【００２４】
また、上述の目的は、原色ベイヤー配列の色フィルタを備えた撮像素子から読み出した画像信号から、画素毎の輝度信号を生成する輝度信号生成方法であって、第１の輝度信号生成手段が、画像信号の空間周波数の帯域を制限する第１のローパスフィルタの出力する画像信号から第１の輝度信号を生成する第１の輝度信号生成工程と、第２の輝度信号生成手段が、画像信号の空間周波数の帯域を第１のローパスフィルタよりも低い帯域に制限する第２のローパスフィルタの出力する画像信号から第２の輝度信号を生成する第２の輝度信号生成工程と、算出手段が、画像信号から、着目画素の赤さ又は青さの尺度を示す指標を算出する算出工程と、第１の加重加算手段が、指標に基づき、着目画素の赤さ又は青さが強いほど、第２の輝度信号の割合が高くなるように第１の輝度信号と第２の輝度信号を加重加算して、着目画素に対する輝度信号を生成する第１の加重加算工程とを有することを特徴とする輝度信号生成方法によっても達成される。
【手続補正３】
【補正対象書類名】明細書
【補正対象項目名】００２５
【補正方法】変更
【補正の内容】
【００２５】
また、上述の目的は、原色ベイヤー配列の色フィルタを備えた撮像素子から読み出した画像信号から、エッジ強調された輝度信号を画素毎に生成する輝度信号生成方法であって、輝度信号生成手段が、画像信号から輝度信号を生成する輝度信号生成工程と、第１の高周波信号生成手段が、撮像素子の全色の画素の画像信号を用いて第１の高周波信号を生成する第１の高周波信号生成工程と、第２の高周波信号生成手段が、撮像素子のうち、赤色又は青色のいずれか一方の画素の画像信号を用いて第２の高周波信号を生成する第２の高周波信号生成工程と、算出手段が、画像信号から、着目画素が赤色又は青色のいずれか一方に近い色かどうかの尺度を示す指標を算出する算出工程と、第１の加重加算手段が、指標に基づき、着目画素が赤色又は青色のいずれか一方に近い色であるほど、第２の高周波信号の割合が高くなるように第１の高周波信号と第２の高周波信号を加重加算して着目画素に対する高周波信号を生成する第１の加重加算工程と、加算手段が、輝度信号生成工程が着目画素に対して生成した輝度信号に、着目画素に対する高周波信号を加算して、着目画素に対するエッジ強調された輝度信号を生成する加算工程を有することを特徴とする輝度信号生成方法によっても達成される。